(57)【要約】  一方の面に、間隔を有する複数の歯部と、頭部における歯部との協力作用のための螺子を受け取るためのチャンバーを有する頭部とを有する細長い可撓性のバンドを含み、頭部の遠心端部はバンドから間隔を有し且つ離れているために、バンドの近接端部は頭部の近接端部とのみ接続され、頭部は、さらに、バンドをループ状に形成しバンドの遠心端部を受取るための通路部を有する、バンドタイプの物品クランプ。
2005509119.tif 000002
【特許請求の範囲】
【請求項１】
間隔を有して配置される複数の歯部を一方の面に有するとともに、近接端部と遠心端部を有する細長い可撓性のバンドと、
前記バンドの前記歯部と協力作用するための螺子手段を受取るチャンバを有する頭部からなり、
前記頭部は、近接端部と遠心端部を有し、前記頭部の前記遠心端部が前記バンドから間隔を有し且つ離れているために前記バンドの近接端部が前記頭部の前記近接端部とのみ接続され、
前記頭部は、さらに、前記バンドをループ状に形成し前記バンドの前記遠心端部を受取るために、前記近接端部から前記遠心端部へ延設される通路部を有し、
前記螺子手段は、前記螺子手段が一方向へ回転される際に、前記ループが前記物品の周囲をクランプして該ループのサイズが減少するために、前記バンドの前記歯部と協力作用を利用するように適合されていることを特徴とする物品クランプ。
【請求項２】
前記バンドは、頭部の近接端部から鋭角に頭部へと延設されていることを特徴とする請求項１記載のクランプ。
【請求項３】
前記バンドは、頭部の近接端部から延設されるアーチ形状の部分を含み、前記バンドは前記歯部から離れている部分を含んでいることを特徴とする請求項１又は２に記載のクランプ。
【請求項４】
前記歯部は、バンドと一体的に形成されるとともに該バンドを横断して延設される複数の突起部からなることを特徴とする請求項１記載のクランプ。
【請求項５】
前記チャンバは、回転を除く螺子手段と密接に適応するために、断面において実質的に環状であることを特徴とする請求項１記載のクランプ。
【請求項６】
前記チャンバは、螺子手段の挿入を許可するために頭部の遠心端部において開放状態とし、螺子手段の内部端部との協力作用のために近接端部における壁部によって閉止状態となることを特徴とする請求項５記載のクランプ。
【請求項７】
前記螺子手段は、バンドの歯部との協力作用のためのネジ山を具備する軸部を有するウォーム・スクリュー形状であることを特徴とする請求項１記載のクランプ。
【請求項８】
前記ウォーム・スクリューは、該ウォーム・スクリューの回転のネジ回し部による嵌合のためのスクリュー・スロットを有する頭部を含むことを特徴とする請求項７記載のクランプ。
【請求項９】
前記ウォーム・スクリューの前記頭部は、スパナ又はソケット・ツールとの協力作用を適応される形状を有していることを特徴とする請求項７記載のクランプ。
【請求項１０】
前記頭部は、前記チャンバが配置される主体部と前記バンドを受取るために前記頭部を介して延設される通路部を含み、
前記通路部は、前記チャンバの縦軸と実質的に平行に延設されていることを特徴とする請求項１記載のクランプ。
【請求項１１】
前記通路部は、バンドが保持されるように、断面において再入可能な形状であることを特徴とする請求項１０記載のクランプ。
【請求項１２】
前記通路部は、前記バンドの前記歯部が前記螺子手段による嵌合のため突出している前記チャンバへの入口部を決定するために、前記チャンバにより、この長さに沿って交差していることを特徴とする請求項１１記載のクランプ。
【請求項１３】
前記通路部は、プレーナー後壁部と前記頭部の本体部の間で決定されることを特徴とする請求項１０記載のクランプ。
【請求項１４】
前記バンドと前記頭部の間における前記接続は、前記頭部の近接端部における前記壁部と前記バンドの間で作成され、
前記バンドは、前記壁部から鋭角に且つ前記頭部の方向へ延設されることを特徴とする請求項１３記載のクランプ。
【請求項１５】
側面の延出部が、前記壁部と接続する前記バンドへ付加的な補助を提供するために、前記バンドの反対側へ設けられていることを特徴とする請求項１４記載のクランプ。
【請求項１６】
前記壁部に配列された可撓性の指部が、前記バンドの前記壁部との接続を越えて延設され、前記可撓性の指部が前記バンドと物品の間で使用時に挟持されることを特徴とする請求項１３記載のクランプ。
【請求項１７】
近接端部と遠心端部を有する細長い可撓性のバンドと、該バンドと一体的に形成されるとともにチャンバを有する頭部からなり、
前記頭部は近接端部と遠心端部を有し、前記バンドの該近接端部は前記頭部の前記近接端部と接続され、前記頭部の前記遠心端部は前記バンドから間隔を有し且つ離れているために、前記バンドは前記頭部の方向へ前記頭部から延設され、
前記頭部は、さらに、前記バンドをループ状に形成し前記バンドの前記遠心端部を受取るために、前記近接端部から前記遠心端部へ延設される通路部を有し、
前記バンドと協力作用するための前記チャンバ内に設けられるウォーム・スクリューを有し、前記スクリューの一方向への回転によって前記物品の周囲をクランプするために前記ループのサイズが減少することを特徴とする成形プラスチック物品クランプ。
【発明の詳細な説明】
【技術分野】
【０００１】
本発明はクランプ、特に、バンドがホース又はパイプのような把持される物品の周囲でループ状になって、物品をクランプするために締め付けるタイプのクランプに関連する。
【背景技術】
【０００２】
数多くの異なったデザインやタイプのホース・クランプやパイプ・クランプがこれまで市販されている。一般に、既知のホース・クランプ又はパイプ・クランプは、一方の端部で分離した金属ハウジングに固定される金属ストラップを含んでおり、このハウジングは、ストラップの軸と一直線になる縦軸を有する収納部として定義される。ウォーム・スクリューはハウジング収納部内に捕捉され、把持される物品をループするストラップの端部との協力作用を促す。この目的のために、ウォーム・スクリューが反対方向へ回転する場合、金属ストラップループは物品を把持するために締め付けられるか、又は物品を解放するために緩められるように、ストラップは、ウォーム・スクリューの螺子山との協力作用のために、間隔を有する収納部或いはスロットが与えられる。ハウジングは多くの異なる配置によって、ストラップの一方の端部へ取り付けられる。ある配置では、ハウジングはストラップの下側で回転され、ストラップの中のスロットへ延設される反対の舌部を有するサイドフランジに延設される。その代わり、ハウジングはストラップに溶接されることができる。上記のタイプのクランプストラップの例はドイツ特許第３１２１２０２号公報および米国特許第５４７３７９８号公報で示されている。これらのクランプが一般に効率的に機能している一方、プラスチックから製造されることに適していない。さらに、ハウジングをストラップと結合するようなそれらの構造において多くのステップが要求されるために、このタイプのクランプの製造コストは上昇する。上記のクランプの欠点は、使用時のハウジングが把持される物品の周囲に対して拘束されることであるが、ハウジングが物品に隣接した側面において、通常の場合、プレーナー形状であるので、ストラップがループされる周囲の曲面と面一ではない。これはストラップを締め付けることを困難とし、さらに、締め付けが起ることきは、ハウジングのプレーナー表面が物品の曲面と接触するために、曲面の全周は密接に把持することができない。
【０００３】
米国第４０４７２６８号公報には、ウォーム・スクリューのためのハウジングがストラップと一体的に形成され、ストラップに沿う間隔を延設し、このハウジングはクランプされる物品の表面に一致させるための曲表面を有する、成型プラスチックのウオームギアのクランプ装置が開示されている。ストラップは物品に対してループされ、そして、締め付けられたとき、物品についてのクランプ作用をもたらすために、ループされたストラップのサイズを減少するスクリューによって嵌合するためにウォーム・スクリューハウジングをくくる。しかし、ハウジングはストラップの部分を形成し、ストラップと同一の広がりを持つが、物品についてのストラップの締め付けは、螺子滑りの可能性をもたらすハウジングの放射状のゆがみの原因となる、放射状に内部に向かう力を適用することができる。これは、ストラップを締め付けることができる範囲を限定することとなり、従って、ストラップが利用することができる適用を限定することになる。この欠点は、更にハウジングの曲面がクランプされる物品の曲面に一致されなければ拡大する。クランプが小口径の物品と使用されれば、物品周囲の不完全なクランプは、圧力の適用における潜在的な漏出へつながる場合がある。大口径の物品では、再度駆動頭部に隣接した区域が均等にクランプされない。従って、各サイズの物品の半径にクランプするために適するように、異なったクランプの範囲が要求される。更に、ハウジングの外面の角度がつけられた駆動頭部の放射状のゆがみが、螺子滑りの危険性を実質的に高めるか、またはクランプによって適用することができる圧力を実質的に減少するという、付加的な問題を生じる。上記に関するそれらへの類似した欠点は英国特許２３２６４３８号公報、ドイツ特許第３４００６８１号公報および米国特許第３９１４８３２号公報で示されているクランプに関連付けられる。
【０００４】
国際公開第ＷＯ９８／２３８８９号公報には、金属のストラップクランプが開示されており、このストラップは、クランプされる物品の曲面に一致させるために曲面とされた、ストラップより厚いフランジ又はベアリングを経て、螺子ハウジングの前端部から延設又は螺子ハウジングの前端部に設けられている。このフランジはハウジングと一体的に、ハウジングと強固に形成され、このストラップは締め付けられたとき、強固なフランジ接合する箇所で屈曲し、こうしてクランプがより小さい物品に加えることができる範囲を限定する。よって、さらに異なった大きさの物品に適するように、異なった半径のフランジを有する多くの異なった大きさのクランプが要求される。
【発明の開示】
【０００５】
本発明は、把持又はクランプされる物品に対してループされ、又は締め付けることができ、より広範囲のサイズの物品に適用することができるバンドを有するタイプのクランプを提供することを目的とする。さらなる本発明の目的は、プラスチック材料によって製造され、従って、比較的安価なクランプを提供することを目的とする。本発明の他の目的及び利点は、以下の記述から明白になる。
【０００６】
本発明は、間隔を有して配置される複数の歯部を一方の面に有するとともに、近接端部と遠心端部を有する細長い可撓性のバンドと、前記バンドの前記歯部と協力作用するための螺子手段を受取るチャンバを有する頭部からなり、前記頭部は、近接端部と遠心端部を有し、前記頭部の前記遠心端部が前記バンドから間隔を有し且つ離れているために前記バンドの近接端部が前記頭部の前記近接端部とのみ接続され、前記頭部は、さらに、前記バンドをループ状に形成し前記バンドの前記遠心端部を受取るために、前記近接端部から前記遠心端部へ延設される通路部を有し、前記螺子手段は、前記螺子手段が一方向へ回転される際に、前記ループが前記物品の周囲をクランプして該ループのサイズが減少するために、前記バンドの前記歯部と協力作用を利用するように適合されている、ことを特徴とする物品クランプを提供する。
【０００７】
好ましくは、バンドは頭部の近接端部から頭部へ鋭角に延設される。バンドは、把持される物品の曲面形状に容易に一致することを可能にするために、アーチ形状とされた頭部の近接端部から延設する部分を含むことができる。頭部は、一般に、バンド部に関連する接線方向に延設することができる。バンド部は適切に歯部がないために、反対側は滑らかである。
【０００８】
クランプの頭部は、好ましくはチャンバが設けられた本体部を含んでいる。バンドを受取るために、通路部は頭部を通して適切に形成され、通路部は実質的にチャンバの縦方向の軸線と平行に延設される。通路部は、バンド部がそこに捕獲することができるように、適切に再入可能な形状とされる。通路部は、バンドの歯部が螺子手段による嵌合のため突出しているチャンバへの入口部を決定するために、チャンバにより、この長さに沿って交差している。
【０００９】
通路部は、プレーナー後壁部と頭部の本体部の間で適切に決定される。好ましくは、バンドと頭部の間における接続は、頭部の近接端部における壁部とバンドの間で作成され、従って、バンドは、壁部から鋭角に且つ頭部の方向へ延設される。好ましくは、バンドの反対側における側面の延出部は、壁部及び頭部と接続するバンドへ付加的な補助を提供し、好ましくは、側面の延出部は、壁部と頭部で一体となる。壁部に配列された可撓性の指部が、バンドの壁部との接続を越えて延設され、可撓性の指部がバンドと、頭部に隣接してクランプされた物品の間で使用時に挟持される。
【００１０】
クランプは、バンドと一体的に成形する頭部を用いて形作られることによって、プラスチック材料で形成されることが最も好ましい。歯部は、バンドと一体的に形成され、且つ該バンドを横断して延設される複数の突起部からなる。バンド上の歯部は、横断して延設する四角い螺子山の形をとる。螺子山は、バンド中に直線的に延設すること、または、曲がった経路に従うことが可能である。
【００１１】
頭部のチャンバは、回転を除く螺子手段と密接に適応するために、断面において実質的に環状であることが好ましい。チャンバは、螺子手段の挿入を許可するために頭部の遠心端部において開放状態とし、バンドへの螺子手段により適用される力に抵抗するために螺子手段の内部端部と協力作用する近接端部における水平壁部によって閉止状態となることが好ましい。螺子手段は、バンドの歯部との協力作用のための螺子山を具備する軸部を有するウォーム・スクリューの形状であることが好ましい。螺子山は、バンドの歯部のピッチと一致するピッチを有する四角い螺子山からなる。ウォーム・スクリューは、螺子回しに補助され、反対方向への回転を可能にするスクリュー・スロットを具備する頭部を含む。ウォーム・スクリューの頭部は、加えてもしくは代替として、スパナ又はソケット・ツールと協力作用を適応するための形状を有することが可能である。この目的のスクリューの頭部は、六角形の構成を有する。
【００１２】
ウォーム・スクリューは、製造中にクランプの余りと一体的に形成されることが可能であり、また使用の際に頭部のチャンバへの挿入を可能にするために取り除くことも可能である。
【００１３】
さらなる特徴において、本発明は成形プラスチック物品クランプを提供する。この物品クランプは、近接端部と遠心端部を有する細長い可撓性のバンド、前記バンドと一体的に形成され且つ内部にチャンバを有する頭部からなり、前記頭部の前記遠心端部が前記バンドから間隔を有し且つ離れているために、この頭部は近接端部と遠心端部を有し、前記バンドの近接端部が前記頭部の前記近接端部と接続されるとともに、この前記バンドは前記頭部から前記頭部の方向へと延設され、また前記頭部はさらに前記バンドをループ状に形成し前記バンドの前記遠心端部を受取るために、前記近接端部から前記遠心端部へと延設される通路部を有し、前記バントと協力作用するための前記チャンバのウォーム・スクリューは、前記スクリューを一方向へ回転させることによって前記ループで前記物品の周囲をクランプし、サイズを減少させる。
【００１４】
（好適な実施形態の詳細な説明）
本発明がより進んで理解され実行されるために、本発明の好適実施形態を図示する添付の図面について言及する。
図面、まず図１〜４を参照すると、本発明の実施形態に従うクランプ１０及びこの構成要素が図示されている。クランプ１０は、通常ホース・クランプもしくはパイプ・クランプとして、すなわちケーブル又は物品のようなその他のものをクランプするために用いられるが、任意の物品もしくは物品断面の周囲をループにしクランプすることも可能である。クランプ１０は、近接端部１２と遠心端部１３を有する細長い可撓性のバンド１１、及びバンド１１の近接端部１２において一体的に形成されるスクリュー補助頭部１４からなる。図１において点線の輪郭で示されるように、バンド１１は任意の長さを有する。頭部１４は近接端部１５と遠心端部１６を有し、図１に示されるように、バンド１１の近接端部１２は１７の遠心端部１５に近接する頭部１４に結合するのみである。頭部１４の残りは、頭部１４の遠心端部１６がバンド１１から間隔を有するため、バンド１１から離れている。
【００１５】
バンド１１は、通常平らな長方形の断面を有する細長い形状の本体部１８を含む。この本体部はバンド１１の長さと平行して一定であり、反対側は滑らかな湾曲部１９を有し、頭部１４へと接続する、バンド１１の近接端部１２を含む。頭部１４は、近接端部１２から部分１９へと接線方向に延設し、バンド部分１９とバンド部分１９を含む面は、初期角度がおよそ３０度の頭部１４から鋭角で延設する。部分１９から離れたバンド１１の本体部１８は、一方に、通常は外側に、一定の間隔を有する突起、すなわち本体部１８の一方に突出する、歯部２０を具備する。歯部２０は、本体部１８を横断して且つこの縦軸にたいし角度を持って延設する。本体部１８の反対側すなわち内部側面は、実質的に途切れなく滑らかである。歯部２０は、断面において四角い螺子山の形状をとっており、バンド１１の本体部１８中に延設するが、反対側端部の長さをもって終結する。歯部２０は、バンド１１の本体部１８を横断する、曲がった構成を有する。
【００１６】
頭部１４は、本体部２１を含み、この本体部２１において通常筒状の構成を有するチャンバ２２を具備し、このチャンバ２２はウォーム・スクリュー２３を受取るために頭部１４に縦軸方向へと延設する。チャンバ２２の縦軸X−Xは、また通常バンド１１の部分１９の接線方向へと延設する。チャンバ２２を囲む本体部２１の側壁部２４は、バンド１１を締めている間に圧力を受け生じうる本体部２１の歪みを防ぐために比較的厚みを有する。チャンバ２２は、頭部１４の遠心端１６では２５で開放状態であるが、横面端部壁部２６によって頭部１４の近接端部１５では実質的に閉止状態である。壁部２６は、またスクリュー２３によって適用される軸力に対抗するために比較的厚みを有する。この実施形態における本体部２１は、本体部２１の下方部２７が内部に段を有し、最大の力がであう上方部の壁部２４より薄い厚みをもった側壁部を有する、段状形状である。
【００１７】
ウォーム・スクリュー２３は、補完的協力のために角形状を有し、且つバンド１１の歯部２０と結合する外部螺子山２９を有する、軸部２８を有する。この歯部２０のピッチは、螺子山２９のピッチと同一である。ウォーム・スクリュー２３は、さらに頭部３０を有する。この頭部３０は、螺子回しスロット３１を含み、及び／又は、例えばソケット・ツールと協力作用するために六角形状を有することによって、適切なツールと協力するよう構成される。螺子山２９を含むウォーム・スクリュー２３の最大外径は、スクリュー２３が回転できるよう、しかし使用においてバンド１１の歯部２０との嵌合を維持するために十分にスクリュー２３を抑制できるような、小さな隙間を残してウォーム・スクリュー２３がチャンバ２２にきちんと受け入れられるように、チャンバ２２の内径よりもわずかに小さい。
【００１８】
通路部３２はまた、近接端部１５から遠心端部１６へ頭部１４を介し、チャンバ２２に平行に頭部１４に延設されるよう形成されている。通路部３２はチャンバの軸Ｘ−Ｘに平行に延設される後部プレーナー壁部３３と頭部１４の本体部２１の間に決定され、壁部３３は側面フランジ３４を介して本体部に結合されている。通路部３２はバンド１１を保持するために再入可能な形状を有するために入口部３５を形成するため、チャンバ２２は通路部３２の内部側面の長さに沿って通路部３２と交差する。入口部３５からチャンバ２２に延設される歯部２０をともなって通路部３２にスライド移動できるようにバンド１１が的確に受取られるように、通路部３２の断面はバンド１１の本体部１８の断面と類似している。（図２に点線で示されている。）
【００１９】
バンド１１と頭部１４の結合部１７は、壁部３３の低端部とバンド１１の全幅にわたる間において側面の結合によって決定されている。バンド１１は側面延出部３６によって裏面に支えられており、側面延出部３６は、バンド１１と壁部３３とともに形成され、バンド１１の亀裂の可能性を減らすためにバンド１１へ付加的な支持を提供している。バンド１１と同幅で、バンド１１の伸張を効果的に形成する指部３７を決定するために壁部３３は下方まで延設されている。指部３７はバンド１１と頭部１４の間の結合部１７の上部に突起し、３８で先を細くし円滑な端部を形成する。
【００２０】
図５に示されている使用状態において、クランプ１０は、図では円状の断面図に表される物品若しくは物品３９のグループの周りを締め止め、バンド１１の遠心端部１３は、物品３９についてループ４０を形成するために頭部１４を介して通路部３２の後部端に挿入される。この位置では、突起部若しくは歯部２０は、螺子２３の軸部２８上の螺子山２９と協力作用しながら、螺子２３に隣接してチャンバ２２へ延設される。螺子２３の右回りの回転は軸部２８上の螺旋状の螺子山２９と突起若しくは歯部２０の間に協力作用を発し、通路部３２に進むことによって、バンド１１は、１７における頭部１４の結合を密着にし、一又は複数の物品３９の周りを固く把持し、ループ４０の大きさを縮小することができる。軸部２８上の螺子山２９と歯部２０の間に協力作用するように形成された螺子軸部２８に沿った軸反動力は、チャンバ２２の端壁部２６によって制止される。従って軸反動力はバンド１１を進め、ループ４０の大きさを縮小することができる。さらに、螺子２３によって適用される力は頭部１４と接合するバンド１１の線状部３４に適用され、螺子山２９と歯部２０の間にスリップする傾向を縮小するバンド１１の湾曲部へは適用されない。従って螺子２３の軸部２８上の螺子山２９はバンド１１の多数の歯部２０と完全に勘合する。これはバンド１１の締める力とクランプする充分な力の適用を促進する。さらに、物品３９の周囲のほとんど全てにおいて接触しているバンド１１は、物品３２と形成されたバンドループ４０から通常接線方向に延設している頭部１４と接触しているので、クランプ１０の構成は、一若しくは複数の物品３９がバンド１１の周辺に実質的にクランプされる。物品３９の周辺を把持することは頭部１４に近接する物品３９とバンド部４１の間の空間を埋める先を細くした指部３７によって促進される。
【００２１】
図６は本発明のクランプ１０が、より小さな直径の物品４２を把持することに使用されうることを示している。図５で使用されている同様のクランプ１０はまた、物品４２にも使用されうる。従って螺子２３が物品４２についてバンド１１を締めるために回転するので、バンド１１は、物品４２の周辺を完全に把持するように結合部１７から頭部１４へ向かって折れるか若しくは曲がる。先の細くなった指部３７もまた、頭部１４に近接する物品４２とバンド部４１との間の空間を埋めるために、より大きな範囲に曲がる。図５及び図６に示されている例は、物品３９と４２の周辺を実質的に把持することは、クランプ１０が圧力ホースをクランプしている例である圧力適用において使用される点で特に重要である。
【００２２】
互換可能な使用方法として、バンド１１は頭部１４の通路部３２をくぐる遠心端部１３によって把持される物品を最初にループ状にし、頭部１４に関連するバンド１１を引くことによってループ４０の大きさを縮小するために手で締めることができる。螺子２３は頭部１４のチャンバ２２の解放端部２５に挿入され、螺子軸部２８上の螺子山２９とバンド１１の歯部２０の間に協力作用するように物品を締めるバンド１１を締め付ける螺子２３の回転によってチャンバ２２の中に完全に閉止するまで、回転する。
【００２３】
この実施形態におけるバンド１１は８ミリの幅を有し、１００、２００及び３００ミリ等にも適用する様々な長さを有することができる。また、バンド１１は長さに合わせて切ることも可能である。さらにこの実施形態において、ウォーム・スクリュー２３上の螺子山はバンド１１上の歯部２０の間隔にほぼ適合するために２．５ミリ間隔を有する。したがってクランプ１０が違う大きさに作られても適応しうる。
【００２４】
図示された実施形態において、クランプ１０は主としてクランプするために一又は複数の物品の周りをクランプすることに適しており、効果的にクランプを行うことができる。ループ４０の大きさの増加に影響を与える螺子２３の反対方向への回転は、螺子２３に適用される軸力の例等により、チャンバ２２から引き出される力に抵抗する場合にのみ起る。この構造は、バンド１１が物品若しくは物品にループされた後、螺子２３が頭部１４のチャンバ２２へ容易に挿入されるように、クランプ１０の構造を簡易化している。もしクランプ１０が物品若しくは物品から解放されることがあれば、バンド１１は、チャンバ２２から離れるまで適した切削工具によって断絶されるか若しくは時計回りに回転させた螺子２３のよって行われる。しかし代替例において螺子２３はチャンバ２２内に保持されることになる。
【００２５】
バンド１１上の歯部２０は螺子２３の螺子山の構成に合うように様々な形を有し、また、細長い溝や細長い穴を有する金属製のバンドも採用することができる。
【００２６】
バンド１１の部分１９は交差する接合線でバンド１１の残部を接合するための形態の中にしめされているが、部分１９はバンド１１の残部へ滑らかに湾曲することもできる。部分１９は様々な形に湾曲し、若しくは把持された物品にかかるように直線的に折り曲げることができる。
【００２７】
段状形状に示される一方で、頭部１４の本体部２１は長さに対して一定の断面を有することができる。さらに、実施形態が本体部２１の低部２７と壁部３３の間のカットアウトリージョン４３が示される一方で、フランジ３４が本体部２１と壁部３３の全般にわたって延設されることができるのでカットアウトリージョン４３を有する必要はない。
【００２８】
特徴として、クランプ１０は、バンドの充分な柔軟性や頭部１４の硬化を提供するナイロン若しくはその他の適したプラスチックより成型される。クランプ１０は頭部１４と、結合されたバンド１１で形成される螺子２３からなり、簡単に引き離すことができる破壊しやすい部分によって結合される。クランプ１０の全ての構成部は全ての構成部を形成する一打ち抜き型の射出成型されることが望ましい。しかしながら、ある実施形態において、バンド１１と、関連する頭部１４は一抜き型から形成され、螺子２３は別の打ち抜き型から形成されることもできる。互換的に、螺子２３は金属で形成されることもできる。クランプの形態がプラスチックで形成される一方で、クランプは金属で構成されてもよい。
【００２９】
当業者にはその他全ての修正及び変更は、請求項で示すように本発明の広範囲の中に含まれていることは明白である。
【図面の簡単な説明】
【００３０】
【図１】構成要素部分を分けて示した側面図における、本発明の実施形態に従うクランプを図示する。
【図２】クランプのバンドと頭部を示す平面図である。
【図３】クランプのバンドと頭部を示す正面図である。
【図４】クランプのバンド、頭部及びウォーム・スクリューの斜視図である。
【図５】第１物品の周囲をクランプするクランプを図示する。
【図６】図５に示す物品よりもより小さい直径を有する物品の周囲をクランプするクランプを図示する。
【図１】
2005509119.tif 000003
【図２】
2005509119.tif 000004
【図３】
2005509119.tif 000005
【図４】
2005509119.tif 000006
【図５】
2005509119.tif 000007
【図６】
2005509119.tif 000008
【手続補正書】
【提出日】平成15年12月8日(2003.12.8)
【手続補正１】
【補正対象書類名】特許請求の範囲
【補正対象項目名】全文
【補正方法】変更
【補正の内容】
【特許請求の範囲】
【請求項１】
間隔を有して配置される複数の歯部を一方の面に有するとともに、近接端部と遠心端部を有する細長い可撓性のバンドと、
前記バンドの前記歯部と協力作用するための螺子手段を受取るチャンバを有する頭部からなり、
前記チャンバは縦軸を有し、前記頭部は近接端部と遠心端部を有し、前記頭部の前記遠心端部が前記バンドから間隔を有し且つ離れているために、前記バンドの近接端部が前記頭部の前記近接端部とのみ接続されるとともに、前記チャンバの前記縦軸に関連する前記頭部へ鋭角で延設され、
前記頭部は、さらに、前記バンドをループ状に形成し前記バンドの前記遠心端部を受取るために、前記近接端部から前記遠心端部へ縦軸方向に延設される通路部を有し、
前記螺子手段は、前記螺子手段が一方向へ回転される際に、前記ループが前記物品の周囲をクランプして該ループのサイズが減少するために、前記バンドの前記歯部と協力作用を利用することを適合されていることを特徴とする物品クランプ。
【請求項２】
前記バンドは、前記歯部を具備する本体部を有し、
前記本体部は、前記頭部の接続に至るまでの長さに対して一定の断面を有することを特徴とする請求項１記載のクランプ
【請求項３】
前記バンドは、頭部の近接端部から延設される前記バンドの縦軸方向に沿うアーチ形状の部分を含み、前記バンドは前記歯部から離れている部分を含んでいることを特徴とする請求項１又は２に記載のクランプ。
【請求項４】
前記歯部は、バンドと一体的に形成されるとともに該バンドを横断して延設される複数の突起部からなることを特徴とする請求項１記載のクランプ。
【請求項４】
前記歯部は、前記バンドの反対側の端部までの短さで終結していることを特徴とする請求項３記載のクランプ。
【請求項５】
前記チャンバは、前記縦軸まわりの回転を除く螺子手段と密接に適応するために、断面において実質的に環状であることを特徴とする請求項１記載のクランプ。
【請求項６】
前記チャンバは、螺子手段の挿入を許可するために頭部の遠心端部において開放状態とし、螺子手段の内部端部との協力作用のために近接端部における壁部によって閉止状態となることを特徴とする請求項５記載のクランプ。
【請求項７】
前記螺子手段は、バンドの歯部との協力作用のための螺子山を具備する軸部を有するウォーム・スクリュー形状であることを特徴とする請求項１記載のクランプ。
【請求項８】
前記ウォーム・スクリューは、該ウォーム・スクリューの回転の螺子回し部による嵌合のためのスクリュー・スロットを有する頭部を含むことを特徴とする請求項７記載のクランプ。
【請求項９】
前記ウォーム・スクリューは頭部を有し、
前記頭部は、スパナ又はソケット・ツールとの協力作用を適応されるための形状を有していることを特徴とする請求項７記載のクランプ。
【請求項１０】
前記頭部は、前記チャンバが配置される主体部を含んでいることを特徴とする請求項１記載のクランプ。
【請求項１１】
前記通路部は、バンドが保持されるように、断面において再入可能な形状であることを特徴とする請求項１０記載のクランプ。
【請求項１２】
前記通路部は、前記バンドの前記歯部が前記螺子手段による嵌合のため突出している前記チャンバへの入口部を決定するために、前記チャンバにより、この長さに沿って交差していることを特徴とする請求項１１記載のクランプ。
【請求項１３】
前記頭部は、前記本体部から間隔を有してプレーナー壁部を有し、前記通路部が前記プレーナー壁部と前記本体部の間に決定されることを特徴とする請求項１０記載のクランプ。
【請求項１４】
前記バンドと前記頭部の間における前記接続は、前記頭部の近接端部における前記壁部と前記バンドの間で作成され、
前記バンドは、前記壁部から鋭角に且つ前記頭部の方向へ延設されることを特徴とする請求項１３記載のクランプ。
【請求項１５】
側面の延出部が、前記壁部と接続する前記バンドへ付加的な補助を提供するために、前記バンドの反対側へ設けられていることを特徴とする請求項１４記載のクランプ。
【請求項１６】
前記壁部に配列された可撓性の指部が、前記バンドの前記壁部との接続を越えて延設され、前記可撓性の指部が前記バンドと物品の間で使用時に挟持されることを特徴とする請求項１３記載のクランプ。
【請求項１７】
近接端部と遠心端部を有する細長い可撓性のバンドと、該バンドと一体的に形成されるとともにチャンバを有する頭部からなり、
前記チャンバは縦軸を有し、前記頭部は近接端部と遠心端部を有し、前記バンドの該近接端部は前記頭部の前記近接端部と接続され、前記頭部の前記遠心端部は前記バンドから間隔を有し且つ離れているために、前記バンドは前記縦軸に関連する前記頭部に対して鋭角で前記頭部から延設され、
前記頭部は、さらに、前記バンドをループ状に形成し前記バンドの前記遠心端部を受取るために、前記近接端部から前記遠心端部へ延設される通路部を有し、
前記バンドと協力作用するための前記チャンバ内に設けられるウォーム・スクリューを有し、前記縦軸のまわりにおける前記スクリューの一方向の回転によって前記物品の周囲をクランプするために前記ループのサイズが減少することを特徴とする成形プラスチック物品クランプ。
【請求項１８】
前記バンドは、前記歯部を具備する本体部を有し、前記本体部は前記頭部の接続に至るまでの長さに対して一定の断面を有することを特徴とする請求項１７記載のクランプ
【手続補正２】
【補正対象書類名】明細書
【補正対象項目名】全文
【補正方法】変更
【補正の内容】
【発明の詳細な説明】
【技術分野】
【０００１】
本発明はクランプ、特に、バンドがホース又はパイプのような把持される物品の周囲でループ状になって、物品をクランプするために締め付けるタイプのクランプに関連する。
【背景技術】
【０００２】
数多くの異なったデザインやタイプのホース・クランプやパイプ・クランプがこれまで市販されている。一般に、既知のホース・クランプ又はパイプ・クランプは、一方の端部で分離した金属ハウジングに固定される金属ストラップを含んでおり、このハウジングは、ストラップの軸と一直線になる縦軸を有する収納部として定義される。ウォーム・スクリューはハウジング収納部内に捕捉され、把持される物品をループするストラップの端部との協力作用を促す。この目的のために、ウォーム・スクリューが反対方向へ回転する場合、金属ストラップループは物品を把持するために締め付けられるか、又は物品を解放するために緩められるように、ストラップは、ウォーム・スクリューの螺子山との協力作用のために、間隔を有する収納部或いはスロットが与えられる。ハウジングは多くの異なる配置によって、ストラップの一方の端部へ取り付けられる。ある配置では、ハウジングはストラップの下側で回転され、ストラップの中のスロットへ延設される反対の舌部を有するサイドフランジに延設される。その代わり、ハウジングはストラップに溶接されることができる。上記のタイプのクランプストラップの例はドイツ特許第３１２１２０２号公報および米国特許第５４７３７９８号公報で示されている。これらのクランプが一般に効率的に機能している一方、プラスチックから製造されることに適していない。さらに、ハウジングをストラップと結合するようなそれらの構造において多くのステップが要求されるために、このタイプのクランプの製造コストは上昇する。上記のクランプの欠点は、使用時のハウジングが把持される物品の周囲に対して拘束されることであるが、ハウジングが物品に隣接した側面において、通常の場合、プレーナー形状であるので、ストラップがループされる周囲の曲面と面一ではない。これはストラップを締め付けることを困難とし、さらに、締め付けが起ることきは、ハウジングのプレーナー表面が物品の曲面と接触するために、曲面の全周は密接に把持することができない。
【０００３】
米国第４０４７２６８号公報には、ウォーム・スクリューのためのハウジングがストラップと一体的に形成され、ストラップに沿う間隔を延設し、このハウジングはクランプされる物品の表面に一致させるための曲表面を有する、成型プラスチックのウオームギアのクランプ装置が開示されている。ストラップは物品に対してループされ、そして、締め付けられたとき、物品についてのクランプ作用をもたらすために、ループされたストラップのサイズを減少するスクリューによって嵌合するためにウォーム・スクリューハウジングをくくる。しかし、ハウジングはストラップの部分を形成し、ストラップと同一の広がりを持つが、物品についてのストラップの締め付けは、螺子滑りの可能性をもたらすハウジングの放射状のゆがみの原因となる、放射状に内部に向かう力を適用することができる。これは、ストラップを締め付けることができる範囲を限定することとなり、従って、ストラップが利用することができる適用を限定することになる。この欠点は、更にハウジングの曲面がクランプされる物品の曲面に一致されなければ拡大する。クランプが小口径の物品と使用されれば、物品周囲の不完全なクランプは、圧力の適用における潜在的な漏出へつながる場合がある。大口径の物品では、再度駆動頭部に隣接した区域が均等にクランプされない。従って、各サイズの物品の半径にクランプするために適するように、異なったクランプの範囲が要求される。更に、ハウジングの外面の角度がつけられた駆動頭部の放射状のゆがみが、螺子滑りの危険性を実質的に高めるか、またはクランプによって適用することができる圧力を実質的に減少するという、付加的な問題を生じる。上記に関するそれらへの類似した欠点は英国特許２３２６４３８号公報、ドイツ特許第３４００６８１号公報および米国特許第３９１４８３２号公報で示されているクランプに関連付けられる。
【０００４】
国際公開第ＷＯ９８／２３８８９号公報には、金属のストラップクランプが開示されており、このストラップは、クランプされる物品の曲面に一致させるために曲面とされた、ストラップより厚いフランジ又はベアリングを経て、螺子ハウジングの前端部から延設又は螺子ハウジングの前端部に設けられている。このフランジはハウジングと一体的に、ハウジングと強固に形成され、このストラップは締め付けられたとき、強固なフランジ接合する箇所で屈曲し、こうしてクランプがより小さい物品に加えることができる範囲を限定する。よって、さらに異なった大きさの物品に適するように、異なった半径のフランジを有する多くの異なった大きさのクランプが要求される。
【発明の開示】
【０００５】
本発明は、把持又はクランプされる物品に対してループされ、又は締め付けることができ、より広範囲のサイズの物品に適用することができるバンドを有するタイプのクランプを提供することを目的とする。さらなる本発明の目的は、プラスチック材料によって製造され、従って、比較的安価なクランプを提供することを目的とする。本発明の他の目的及び利点は、以下の記述から明白になる。
【０００６】
本発明は、間隔を有して配置される複数の歯部を一方の面に有するとともに、近接端部と遠心端部を有する細長い可撓性のバンドと、前記バンドの前記歯部と協力作用するための螺子手段を受取るチャンバを有する頭部からなり、前記チャンバは縦軸を有し、前記頭部は近接端部と遠心端部を有し、前記頭部の前記遠心端部が前記バンドから間隔を有し且つ離れているために、前記バンドの近接端部が前記頭部の前記近接端部とのみ接続されるとともに、前記チャンバの前記縦軸に関連する前記頭部へ鋭角で延設され、前記頭部は、さらに、前記バンドをループ状に形成し前記バンドの前記遠心端部を受取るために、前記近接端部から前記遠心端部へ縦軸方向に延設される通路部を有し、前記螺子手段は、前記螺子手段が一方向へ回転される際に、前記ループが前記物品の周囲をクランプして該ループのサイズが減少するために、前記バンドの前記歯部と協力作用を利用することを適合されていることを特徴とする物品クランプを提供する。
【０００７】
バンドは、把持される物品の曲面形状に容易に一致することを可能にするためにバンドの縦方向に弓形形状とされた頭部の近接端部から延設する部分を含むことができる。頭部は、一般に、バンド部に関連する接線方向に延設することができる。バンド部は適切に歯部がなく、こうして反対側は滑らかである。バンドは、歯部を具備する本体部を有し、本体部は、頭部の接続に至るまでの長さに対して実質的に一定の断面を有する。
【０００８】
クランプの頭部は、好ましくはチャンバが設けられた本体部を含んでいる。バンドを受取るために、通路部は頭部を通して適切に形成され、通路部は実質的にチャンバの縦方向の軸線と平行に延設される。通路部は、バンド部がそこに捕獲することができるように、適切に再入可能な形状とされる。通路部は、バンドの歯部が螺子手段による嵌合のため突出しているチャンバへの入口部を決定するために、チャンバにより、この長さに沿って交差している。
【０００９】
通路部は、プレーナー後壁部と頭部の本体部の間で、適切に決定され、平面的な後部壁はチャンバの軸と平行となるように広がる。好ましくは、バンドと頭部の間における接続は、頭部の近接端部における壁部とバンドの間で作成され、従って、バンドは、壁部から鋭角に且つ頭部の方向へ延設される。好ましくは、バンドの反対側における側面の延出部は、壁部及び頭部と接続するバンドへ付加的な補助を提供し、好ましくは、側面の延出部は、壁部と頭部で一体となる。壁部に配列された可撓性の指部が、バンドの壁部との接続を越えて延設され、可撓性の指部がバンドと、頭部に隣接してクランプされた物品の間で使用時に挟持される。
【００１０】
クランプは、バンドと一体的に成形する頭部を用いて形作られることによって、プラスチック材料で形成されることが最も好ましい。歯部は、バンドと一体的に形成され、且つ該バンドを横断して延設される複数の突起部からなる。バンド上の歯部は、横断して延設する四角い螺子山の形をとる。螺子山は、バンド中に直線的に延設すること、または、曲がった経路に従うことが可能である。歯部はバンドの反対側の端部までの短さで終結していることが望ましい。
【００１１】
頭部のチャンバは、回転を除く螺子手段と密接に適応するために、断面において実質的に環状であることが好ましい。チャンバは、螺子手段の挿入を許可するために頭部の遠心端部において開放状態とし、バンドへの螺子手段により適用される力に抵抗するために螺子手段の内部端部と協力作用する近接端部における水平壁部によって閉止状態となることが好ましい。螺子手段は、バンドの歯部との協力作用のための螺子山を具備する軸部を有するウォーム・スクリューの形状であることが好ましい。螺子山は、バンドの歯部のピッチと一致するピッチを有する四角い螺子山からなる。ウォーム・スクリューは、螺子回しに補助され、反対方向への回転を可能にするスクリュー・スロットを具備する頭部を含む。ウォーム・スクリューの頭部は、加えてもしくは代替として、スパナ又はソケット・ツールと協力作用を適応するための形状を有することが可能である。この目的のスクリューの頭部は、六角形の構成を有する。
【００１２】
ウォーム・スクリューは、製造中にクランプの余りと一体的に形成されることが可能であり、また使用の際に頭部のチャンバへの挿入を可能にするために取り除くことも可能である。
【００１３】
さらなる特徴において、本発明は成形プラスチック物品クランプを提供する。この物品クランプは、近接端部と遠心端部を有する細長い可撓性のバンド、前記バンドと一体的に形成され且つ内部にチャンバを有する頭部からなり、前記チャンバは縦軸を有し、前記頭部の前記遠心端部が前記バンドから間隔を有し且つ離れているために、この頭部は近接端部と遠心端部を有し、前記バンドの近接端部が前記頭部の前記近接端部と接続されるとともに、この前記バンドは前記頭部から前記頭部へと前記縦軸に対し鋭角で延設され、また前記頭部はさらに前記バンドをループ状に形成し前記バンドの前記遠心端部を受取るために、前記近接端部から前記遠心端部へと延設される通路部を有し、前記バントと協力作用するための前記チャンバのウォーム・スクリューは、前記スクリューを前記縦軸に対し一方向へ回転させることによって前記ループで前記物品の周囲をクランプし、サイズを減少させる。
【００１４】
（好適な実施形態の詳細な説明）
本発明がより進んで理解され実行されるために、本発明の好適実施形態を図示する添付の図面について言及する。
図面、まず図１〜４を参照すると、本発明の実施形態に従うクランプ１０及びこの構成要素が図示されている。クランプ１０は、通常ホース・クランプもしくはパイプ・クランプとして、すなわちケーブル又は物品のようなその他のものをクランプするために用いられるが、任意の物品もしくは物品断面の周囲をループにしクランプすることも可能である。クランプ１０は、近接端部１２と遠心端部１３を有する細長い可撓性のバンド１１、及びバンド１１の近接端部１２において一体的に形成されるスクリュー補助頭部１４からなる。図１において点線の輪郭で示されるように、バンド１１は任意の長さを有する。頭部１４は近接端部１５と遠心端部１６を有し、図１に示されるように、バンド１１の近接端部１２は１７の遠心端部１５に近接する頭部１４に結合するのみである。頭部１４の残りは、頭部１４の遠心端部１６がバンド１１から間隔を有するため、バンド１１から離れている。
【００１５】
バンド１１は、通常平らな長方形の断面を有する細長い形状の本体部１８を含む。この本体部はバンド１１の長さと平行して一定であり、反対側は滑らかな湾曲部１９を有し、頭部１４へと接続する、バンド１１の近接端部１２を含む。頭部１４は、近接端部１２から部分１９へと接線方向に延設し、バンド部分１９とバンド部分１９を含む面は、初期角度がおよそ３０度の頭部１４から鋭角で延設する。部分１９から離れたバンド１１の本体部１８は、一方に、通常は外側に、一定の間隔を有する突起、すなわち本体部１８の一方に突出する、歯部２０を具備する。歯部２０は、本体部１８を横断して且つこの縦軸にたいし角度を持って延設する。本体部１８の反対側すなわち内部側面は、実質的に途切れなく滑らかである。歯部２０は、断面において四角い螺子山の形状をとっており、バンド１１の本体部１８中に延設するが、反対側端部の長さをもって終結する。歯部２０は、バンド１１の本体部１８を横断する、曲がった構成を有する。
【００１６】
頭部１４は、本体部２１を含み、この本体部２１において通常筒状の構成を有するチャンバ２２を具備し、このチャンバ２２はウォーム・スクリュー２３を受取るために頭部１４に縦軸方向へと延設する。チャンバ２２の縦軸X−Xは、また通常バンド１１の部分１９の接線方向へと延設する。チャンバ２２を囲む本体部２１の側壁部２４は、バンド１１を締めている間に圧力を受け生じうる本体部２１の歪みを防ぐために比較的厚みを有する。チャンバ２２は、頭部１４の遠心端１６では２５で開放状態であるが、横面端部壁部２６によって頭部１４の近接端部１５では実質的に閉止状態である。壁部２６は、またスクリュー２３によって適用される軸力に対抗するために比較的厚みを有する。この実施形態における本体部２１は、本体部２１の下方部２７が内部に段を有し、最大の力がであう上方部の壁部２４より薄い厚みをもった側壁部を有する、段状形状である。
【００１７】
ウォーム・スクリュー２３は、補完的協力のために角形状を有し、且つバンド１１の歯部２０と結合する外部螺子山２９を有する、軸部２８を有する。この歯部２０のピッチは、螺子山２９のピッチと同一である。ウォーム・スクリュー２３は、さらに頭部３０を有する。この頭部３０は、螺子回しスロット３１を含み、及び／又は、例えばソケット・ツールと協力作用するために六角形状を有することによって、適切なツールと協力するよう構成される。螺子山２９を含むウォーム・スクリュー２３の最大外径は、スクリュー２３が回転できるよう、しかし使用においてバンド１１の歯部２０との嵌合を維持するために十分にスクリュー２３を抑制できるような、小さな隙間を残してウォーム・スクリュー２３がチャンバ２２にきちんと受け入れられるように、チャンバ２２の内径よりもわずかに小さい。
【００１８】
通路部３２はまた、近接端部１５から遠心端部１６へ頭部１４を介し、チャンバ２２に平行に頭部１４に延設されるよう形成されている。通路部３２はチャンバの軸Ｘ−Ｘに平行に延設される後部プレーナー壁部３３と頭部１４の本体部２１の間に決定され、壁部３３は側面フランジ３４を介して本体部に結合されている。通路部３２はバンド１１を保持するために再入可能な形状を有するために入口部３５を形成するため、チャンバ２２は通路部３２の内部側面の長さに沿って通路部３２と交差する。入口部３５からチャンバ２２に延設される歯部２０をともなって通路部３２にスライド移動できるようにバンド１１が的確に受取られるように、通路部３２の断面はバンド１１の本体部１８の断面と類似している。（図２に点線で示されている。）
【００１９】
バンド１１と頭部１４の結合部１７は、壁部３３の低端部とバンド１１の全幅にわたる間において側面の結合によって決定されている。バンド１１は側面延出部３６によって裏面に支えられており、側面延出部３６は、バンド１１と壁部３３とともに形成され、バンド１１の亀裂の可能性を減らすためにバンド１１へ付加的な支持を提供している。バンド１１と同幅で、バンド１１の伸張を効果的に形成する指部３７を決定するために壁部３３は下方まで延設されている。指部３７はバンド１１と頭部１４の間の結合部１７の上部に突起し、３８で先を細くし円滑な端部を形成する。
【００２０】
図５に示されている使用状態において、クランプ１０は、図では円状の断面図に表される物品若しくは物品３９のグループの周りを締め止め、バンド１１の遠心端部１３は、物品３９についてループ４０を形成するために頭部１４を介して通路部３２の後部端に挿入される。この位置では、突起部若しくは歯部２０は、螺子２３の軸部２８上の螺子山２９と協力作用しながら、螺子２３に隣接してチャンバ２２へ延設される。螺子２３の右回りの回転は軸部２８上の螺旋状の螺子山２９と突起若しくは歯部２０の間に協力作用を発し、通路部３２に進むことによって、バンド１１は、１７における頭部１４の結合を密着にし、一又は複数の物品３９の周りを固く把持し、ループ４０の大きさを縮小することができる。軸部２８上の螺子山２９と歯部２０の間に協力作用するように形成された螺子軸部２８に沿った軸反動力は、チャンバ２２の端壁部２６によって制止される。従って軸反動力はバンド１１を進め、ループ４０の大きさを縮小することができる。さらに、螺子２３によって適用される力は頭部１４と接合するバンド１１の線状部３４に適用され、螺子山２９と歯部２０の間にスリップする傾向を縮小するバンド１１の湾曲部へは適用されない。従って螺子２３の軸部２８上の螺子山２９はバンド１１の多数の歯部２０と完全に勘合する。これはバンド１１の締める力とクランプする充分な力の適用を促進する。さらに、物品３９の周囲のほとんど全てにおいて接触しているバンド１１は、物品３２と形成されたバンドループ４０から通常接線方向に延設している頭部１４と接触しているので、クランプ１０の構成は、一若しくは複数の物品３９がバンド１１の周辺に実質的にクランプされる。物品３９の周辺を把持することは頭部１４に近接する物品３９とバンド部４１の間の空間を埋める先を細くした指部３７によって促進される。
【００２１】
図６は本発明のクランプ１０が、より小さな直径の物品４２を把持することに使用されうることを示している。図５で使用されている同様のクランプ１０はまた、物品４２にも使用されうる。従って螺子２３が物品４２についてバンド１１を締めるために回転するので、バンド１１は、物品４２の周辺を完全に把持するように結合部１７から頭部１４へ向かって折れるか若しくは曲がる。先の細くなった指部３７もまた、頭部１４に近接する物品４２とバンド部４１との間の空間を埋めるために、より大きな範囲に曲がる。図５及び図６に示されている例は、物品３９と４２の周辺を実質的に把持することは、クランプ１０が圧力ホースをクランプしている例である圧力適用において使用される点で特に重要である。
【００２２】
互換可能な使用方法として、バンド１１は頭部１４の通路部３２をくぐる遠心端部１３によって把持される物品を最初にループ状にし、頭部１４に関連するバンド１１を引くことによってループ４０の大きさを縮小するために手で締めることができる。螺子２３は頭部１４のチャンバ２２の解放端部２５に挿入され、螺子軸部２８上の螺子山２９とバンド１１の歯部２０の間に協力作用するように物品を締めるバンド１１を締め付ける螺子２３の回転によってチャンバ２２の中に完全に閉止するまで、回転する。
【００２３】
この実施形態におけるバンド１１は８ミリの幅を有し、１００、２００及び３００ミリ等にも適用する様々な長さを有することができる。また、バンド１１は長さに合わせて切ることも可能である。さらにこの実施形態において、ウォーム・スクリュー２３上の螺子山はバンド１１上の歯部２０の間隔にほぼ適合するために２．５ミリ間隔を有する。したがってクランプ１０が違う大きさに作られても適応しうる。
【００２４】
図示された実施形態において、クランプ１０は主としてクランプするために一又は複数の物品の周りをクランプすることに適しており、効果的にクランプを行うことができる。ループ４０の大きさの増加に影響を与える螺子２３の反対方向への回転は、螺子２３に適用される軸力の例等により、チャンバ２２から引き出される力に抵抗する場合にのみ起る。この構造は、バンド１１が物品若しくは物品にループされた後、螺子２３が頭部１４のチャンバ２２へ容易に挿入されるように、クランプ１０の構造を簡易化している。もしクランプ１０が物品若しくは物品から解放されることがあれば、バンド１１は、チャンバ２２から離れるまで適した切削工具によって断絶されるか若しくは時計回りに回転させた螺子２３のよって行われる。しかし代替例において螺子２３はチャンバ２２内に保持されることになる。
【００２５】
バンド１１上の歯部２０は螺子２３の螺子山の構成に合うように様々な形を有し、また、細長い溝や細長い穴を有する金属製のバンドも採用することができる。
【００２６】
バンド１１の部分１９は交差する接合線でバンド１１の残部を接合するための形態の中にしめされているが、部分１９はバンド１１の残部へ滑らかに湾曲することもできる。部分１９は様々な形に湾曲し、若しくは把持された物品にかかるように直線的に折り曲げることができる。
【００２７】
段状形状に示される一方で、頭部１４の本体部２１は長さに対して一定の断面を有することができる。さらに、実施形態が本体部２１の低部２７と壁部３３の間のカットアウトリージョン４３が示される一方で、フランジ３４が本体部２１と壁部３３の全般にわたって延設されることができるのでカットアウトリージョン４３を有する必要はない。
【００２８】
特徴として、クランプ１０は、バンドの充分な柔軟性や頭部１４の硬化を提供するナイロン若しくはその他の適したプラスチックより成型される。クランプ１０は頭部１４と、結合されたバンド１１で形成される螺子２３からなり、簡単に引き離すことができる破壊しやすい部分によって結合される。クランプ１０の全ての構成部は全ての構成部を形成する一打ち抜き型の射出成型されることが望ましい。しかしながら、ある実施形態において、バンド１１と、関連する頭部１４は一抜き型から形成され、螺子２３は別の打ち抜き型から形成されることもできる。互換的に、螺子２３は金属で形成されることもできる。クランプの形態がプラスチックで形成される一方で、クランプは金属で構成されてもよい。
【００２９】
当業者にはその他全ての修正及び変更は、請求項で示すように本発明の広範囲の中に含まれていることは明白である。
【図面の簡単な説明】
【００３０】
【図１】構成要素部分を分けて示した側面図における、本発明の実施形態に従うクランプを図示する。
【図２】クランプのバンドと頭部を示す平面図である。
【図３】クランプのバンドと頭部を示す正面図である。
【図４】クランプのバンド、頭部及びウォーム・スクリューの斜視図である。
【図５】第１物品の周囲をクランプするクランプを図示する。
【図６】図５に示す物品よりもより小さい直径を有する物品の周囲をクランプするクランプを図示する。
【国際調査報告】
2005509119.tif 000009
2005509119.tif 000010
2005509119.tif 000011